(57)【要約】製品を収容するハウジングであって、該製品へのアクセスを可能とするように配された開口部を備えるハウジングと；前記開口部へのアクセスを遮断する閉位置と、該開口部へのアクセスを可能とする開位置との間で前記ハウジングに対して移動可能な蓋部と；前記蓋部を磁力によって前記閉位置に保持するように配置された複数の閉鎖用マグネット部品と、を備えるパッケージであって、前記ハウジングと前記蓋部とは少なくとも１枚のシート材料の用紙を折り曲げることによりそれぞれ形成され；前記複数の閉鎖用マグネット部品は前記シート材料の少なくとも一表面に印刷又は塗布され；前記閉鎖用マグネット部品の少なくとも１つは、少なくとも５ｇ／ｃｍ２の表面積当たりの牽引力を有するパッケージ。【選択図】図３Ａ
2018511532.tif 000002
【特許請求の範囲】
【請求項１】
製品を収容するハウジングであって、該製品へのアクセスを可能とするように配された開口部を備えるハウジングと、
前記開口部へのアクセスを遮断する閉位置と、該開口部へのアクセスを可能とする開位置との間で前記ハウジングに対して移動可能な蓋部と、
前記蓋部を磁力によって前記閉位置に保持するように配置された複数の閉鎖用マグネット部品と、
を備えるパッケージであって、
前記ハウジングと前記蓋部とは少なくとも１枚のシート材料の用紙を折り曲げることによりそれぞれ形成され、
前記複数の閉鎖用マグネット部品は前記シート材料の少なくとも一表面に印刷又は塗布され、
前記閉鎖用マグネット部品の少なくとも１つは、少なくとも５ｇ／ｃｍ２の表面積当たりの牽引力を有する、パッケージ。
【請求項２】
前記閉鎖用マグネット部品は、少なくとも５ｇ／ｃｍ２の表面積当たりの剪断力を有する、請求項１に記載のパッケージ。
【請求項３】
前記閉鎖用マグネット部品の表面磁界強度が少なくとも１５０Ｇである、請求項１又は２に記載のパッケージ。
【請求項４】
前記閉鎖用マグネット部品は前記ハウジング内に設けられた第１のマグネット部品と、前記蓋部内に設けられた第２のマグネット部品とを備え、該第１及び第２のマグネット部品は各々、前記閉位置に於いて重複する前記ハウジングと前記蓋部の各領域内に少なくとも部分的に位置している、請求項１乃至３のいずれか１項に記載のパッケージ。
【請求項５】
前記第１及び第２のマグネット部品の合計表面積が少なくとも２ｃｍ２、好ましくは４〜１０ｃｍ２、更に好ましくは４〜８ｃｍ２である、請求項４に記載のパッケージ。
【請求項６】
前記第１及び第２のマグネット部品は同じ磁性材料を含む、請求項４又は５に記載のパッケージ。
【請求項７】
前記蓋部の少なくとも一部が前記ハウジングに対し、前記開位置と前記閉位置との間でヒンジ式に回動可能である、上記請求項のいずれか１項に記載のパッケージ。
【請求項８】
前記マグネット部品の少なくとも１つが、インク、ニス、ワックス、又はこれらの組合せから選ばれる少なくともいずれかを含む表面保護層を備える、請求項４乃至７のいずれか１項に記載のパッケージ。
【請求項９】
前記マグネット部品の少なくとも１つを覆うように設けられた可剥性の箔又はシート材料を更に備える、請求項４乃至７のいずれか１項に記載のパッケージ。
【請求項１０】
前記ハウジングと前記蓋部とはシート材料から成る１枚の用紙の折曲げ体より成り、前記各閉鎖用マグネット部品は該シート材料から成る用紙の一表面上に付与されるか、或いは該シート材料から成る用紙の対向する２表面上に付与されている、上記請求項のいずれか１項に記載のパッケージ。
【請求項１１】
前記ハウジングは１枚の前壁、１枚の底壁、１枚の後壁及び２枚の側壁を含む上面開放箱であり、
前記蓋部は前記ハウジングの前記後壁に１本のヒンジ線に沿って付設され、且つ１枚の頂壁、１枚の前壁及び２枚の側壁を含み、
前記蓋部は前記閉位置に於いて、その前壁と側壁とが、前記ハウジングの前記前壁と側壁とに少なくとも部分的に重複するように配置されており、
１つの第１の閉鎖用マグネット部品が前記ハウジングの前記前壁に付与されており、
１つの第２の閉鎖用マグネット部品が前記蓋部の前記前壁の一内表面に付与されている、請求項１０に記載のパッケージ。
【請求項１２】
前記ハウジングは１枚の前壁、１枚の底壁、１枚の後壁及び２枚の側壁を含む上面開放箱であり、
前記蓋部は前記ハウジングの前記後壁に１本のヒンジ線に沿って付設され、且つ１枚の頂壁、１枚の前壁及び２枚の各側壁を含み、
前記蓋部は前記閉位置に於いて、その前壁と各側壁とが、前記ハウジングの開放上端から延在する内部フレームの前壁と側壁とに少なくとも部分的に重複するように配置されており、
１つの第１の閉鎖用マグネット部品が前記内部フレームの前記前壁に付与されており、
１つの第２の閉鎖用マグネット部品が前記蓋部の前記前壁の一内表面に付与されている、請求項１０に記載のパッケージ。
【請求項１３】
前記閉鎖用マグネット部品は、永久磁石、強磁性塗膜、強磁性金属、複合強磁性材料又は希土類磁石から選ばれる１つ又は複数を含む、上記請求項のいずれか１項に記載のパッケージ。
【請求項１４】
前記閉鎖用マグネット部品の各々は、整列した一連のＳＮ磁極を含む、上記請求項のいずれか１項に記載のパッケージ。
【発明の詳細な説明】
【技術分野】
【０００１】
本開示は概ねパッケージの分野、例えばタバコ製品用パッケージの分野に関する。具体的には、本開示はシガレット・パッケージに関する。
【背景技術】
【０００２】
パッケージの人間工学的、且つ実用的なデザインの改良に対する要望は尽きることがない。この種の要望が強い分野として、シガレット・パッケージ等のタバコ製品用パッケージの提供分野が挙げられる。
【０００３】
シガレット・パッケージは幅広く高い要求を満たす必要がある。特に、このパッケージは安価で大量生産が可能であるのみならず、シガレットを安全に保管し、鮮度を維持し、また度重なる開閉を経ても原形を保つに十分な頑丈さを備えている必要がある。
【０００４】
今日のシガレット・パッケージは通常、ヒンジ蓋付きパケットであり、典型的にはその上端にヒンジ式の蓋部が一体的に形成された厚紙製の小箱である。シガレットは、ユーザーが蓋部を開け、端をつまんで取り出せる様、縦方向に収納されている。
【発明の概要】
【発明が解決しようとする課題】
【０００５】
かかるパッケージ用に、ユーザーがそのロック力を上回る力で初めて小箱を開けられる様な閉鎖手段が既に提案されている。しかし、かかる閉鎖手段は特にパッケージが満杯である場合に開閉が難しい。しかも、パッケージが部分的に、ほぼ、或いは完全に空である場合に、この閉鎖手段では蓋部を閉位置に適切に保つに十分な力を該蓋部に付与することができない場合が多い。
【０００６】
本発明はかかるヒンジ蓋付きパッケージの確実且つ効果的な閉鎖に関する問題に対処するもので、特に閉鎖の仕組みを改良したヒンジ蓋付きパッケージを提供することを目的とするものである。
【課題を解決するための手段】
【０００７】
本発明の第１の側面によれば、製品を収容するハウジングであって、該製品へのアクセスを可能とするように配された開口部を備えるハウジングと；上記開口部へのアクセスを遮断する閉位置と、該開口部へのアクセスを可能とする開位置との間で上記ハウジングに対して移動可能な蓋部と；上記蓋部を磁力によって上記閉位置に保持するように配置された複数の閉鎖用マグネット部品と；を備えるパッケージが提供される。ここで、上記ハウジングと上記蓋部とは少なくとも１枚のシート材料の用紙を折り曲げることによりそれぞれ形成され、上記複数の閉鎖用マグネット部品は上記シート材料の少なくとも一表面に印刷又は塗布され、上記閉鎖用マグネット部品の少なくとも１つは、少なくとも５ｇ／ｃｍ２の表面積当たりの牽引力を有する。
【０００８】
上記閉鎖用マグネット部品は、少なくとも５ｇ／ｃｍ２の表面積当たりの剪断力を有してもよい。
【０００９】
上記閉鎖用マグネット部品の表面磁界強度は、少なくとも１５０Ｇであってよい。
【００１０】
上記閉鎖用マグネット部品は上記ハウジング内に設けられた第１のマグネット部品と、上記蓋部内に設けられた第２のマグネット部品とを備えてよい。これら第１及び第２のマグネット部品は各々、上記閉位置に於いて重複する上記ハウジングと上記蓋部の各領域内に少なくとも部分的に位置してよい。
【００１１】
上記第１及び第２のマグネット部品の合計表面積は、少なくとも２ｃｍ２とすることができる。これら第１及び第２のマグネット部品の合計表面積は、４〜１０ｃｍ２とすることができる。これら第１及び第２のマグネット部品の合計表面積は、４〜８ｃｍ２とすることができる。
【００１２】
上記第１及び第２のマグネット部品は同じ磁性材料を含んでよい。
【００１３】
上記蓋部の少なくとも一部がハウジングに対し、開位置と閉位置との間でヒンジ式に回動可能であってよい。
【００１４】
上記マグネット部品の少なくとも１つが、インク、ニス、ワックス、又はこれらの組合せから選ばれる少なくともいずれかを含む表面保護層を備えてよい。
【００１５】
上記マグネット部品の少なくとも１つを覆うように設けられた可剥性の箔又はシート材料を更に備えてよい。
【００１６】
上記ハウジングと上記蓋部とはシート材料から成る１枚の用紙の折曲げ体より成る。上記各閉鎖用マグネット部品は該シート材料から成る用紙の一表面上に付与されるか、或いは該シート材料から成る用紙の対向する２表面上に付与されてよい。
【００１７】
上記ハウジングは１枚の前壁、１枚の底壁、１枚の後壁及び２枚の側壁を含む上面開放箱であってよい。上記蓋部は上記ハウジングの上記後壁に１本のヒンジ線に沿って付設され、且つ１枚の頂壁、１枚の前壁及び２枚の側壁を含んでよい。上記蓋部は上記閉位置に於いて、その前壁と側壁とが、上記ハウジングの上記前壁と側壁とに少なくとも部分的に重複するように配置されてよい。１つの第１の閉鎖用マグネット部品が上記ハウジングの上記前壁に付与されてよい。また、１つの第２の閉鎖用マグネット部品が上記蓋部の上記前壁の一内表面に付与されていてよい。
【００１８】
上記ハウジングは１枚の前壁、１枚の底壁、１枚の後壁及び２枚の側壁を含む上面開放箱であってよい。上記蓋部は上記ハウジングの上記後壁に１本のヒンジ線に沿って付設され、且つ１枚の頂壁、１枚の前壁及び２枚の側壁を含んでよい。上記蓋部は上記閉位置に於いて、その前壁と各側壁とが、上記ハウジングの開放上端から延在する内部フレームの前壁と各側壁とに少なくとも部分的に重複するように配置されてよい。１つの第１の閉鎖用マグネット部品が上記内部フレームの上記前壁に付与されてよい。また、１つの第２の閉鎖用マグネット部品が上記蓋部の上記前壁の一内表面に付与されてよい。
【００１９】
上記閉鎖用マグネット部品は、永久磁石、強磁性塗膜、強磁性金属、複合強磁性材料又は希土類磁石から選ばれる１つ又は複数を含んでよい。
【００２０】
上記閉鎖用マグネット部品の各々は、整列した一連のＳＮ磁極を含んでよい。
【００２１】
この様なパッケージは例えばシガレット、シガー又はシガリロ等のタバコ製品／喫煙品、特に厚紙製のシガレット包装箱に用いることができる。但し、その利用は当該分野に限らず、例えば、菓子箱や爪楊枝入れ等が想定される。本パッケージは厚紙、プラスチック、金属、木、又はその他の適宜の材料で構成することができる。
【００２２】
上記閉鎖用マグネット部品は、２つの着磁部品、又は１つの着磁部品と１つの着磁可能部品とを互いに吸着するように設けたものであってよい。
【図面の簡単な説明】
【００２３】
本発明の特徴を実施例に基づき、下記の添付図面を参照しながら説明する。
【図１】図１Ａは開位置に於けるヒンジ蓋付きパケットの一例、図１Ｂは図１Ａのヒンジ蓋付きパケットの製作に用いられる用紙、図１Ｃは図１Ａのヒンジ蓋付きパケットの製作に用いられる内部フレーム用の用紙を示す図である。
【図２】図２Ａはヒンジ蓋付きパケットの他の例、図２Ｂは図２Ａに示すヒンジ蓋付きパケットの製作に用いられる用紙を示す図である。
【図３】図３Ａはヒンジ蓋付きパケットの更に他の例、図３Ｂは図３Ａに示すヒンジ蓋付きパケットの製作に用いられる用紙を示す図である。
【発明を実施するための形態】
【００２４】
以下の説明は当業者が本システムを製作し使用することができることを目的として行うもので、或る特定の応用例に関するものである。当業者であれば、ここに開示する実施態様の様々な変形例に容易に想到するであろう。
【００２５】
特許請求の範囲及び以下の説明中では「上側」、「下側」、「前」、「後」、「頂」、「底」、「側」等の各語を用いるが、これらは単に図面に記載された位置関係にならって位置を指定しているに過ぎない。したがって、特許請求の範囲を特定の方向と結びつけて解釈することを意図するものではない。
【００２６】
図１に、ヒンジ蓋付きパケットの形態を採るパッケージ１００の一例を示す。このパケット１００は、ハウジング１１０と蓋部１２０とを備える。ハウジング１１０は開口部１１１を備え、蓋部１２０が図示のように開位置にある時に、該開口部を通じてパッケージの中身、例えばシガレットを取り出すことができる。蓋部１２０は、ヒンジ部１３０を軸として前方に回動することによって、ハウジング１１０の中身が取り出されないように閉じることができる。
【００２７】
ヒンジ部１３０は図１Ｂに示す様に厚紙用紙（ブランク）に適宜に形成された折り線であり、したがってハウジング１１０と蓋部１２０とは一体成形されている。或いはハウジング１１０と蓋部１２０とが別体であって、適宜な構造を有するヒンジ継手１３０で連結されていてもよい。例えば、ハウジング１１０と蓋部１２０のうちの一方に筒状部を設け、この筒状部で該ハウジング１１０と蓋部１２０のうちの他方に設けられたピンを受容し、該筒状部と該ピンとを同軸的、且つヒンジ線１３０に沿って延在させてもよい。
【００２８】
上記蓋部は、閉鎖用マグネット部品１１５，１２５により閉位置に保持され得る。
【００２９】
図１Ｂに、折り曲げてパケット１００（内部フレーム１４０は含まず）を形成するための厚紙用紙を示す。ここに示す各面は基本的に外面、即ち、用紙（ブランク）が折り上げられた後の、図１Ａに示すパッケージの外郭を規定する各面を示す。
【００３０】
上記用紙は、パケット１００完成時に互いに対面する前壁１１３と後壁１１７とを備える。これら前壁と後壁とは、中央の底壁部１１６ｃにより連結されている。
【００３１】
パケットの完成時において、前壁１１３から側方フラップとして延出する各前方側壁部１１４ａは、後壁１１７から側方フラップとして延出する後方側壁部１１４ｂに糊付け又は添着されている。パケットの完成時において、左右の後方側壁部１１４ｂから各々縦方向フラップとして延出する左右の各底壁部１１６ｂ，１１６ａは、中央の底壁部１１６ｃに糊付け又は添着されている。
【００３２】
ヒンジ部１３０は、ハウジングの後壁１１７と蓋部の後壁１２７とを区分する折り線により形成される。蓋部の左右の各後方側壁部１２４ｂは、蓋部の後壁１２７から縦方向フラップとして延出している。一方、蓋部の左右の各頂壁部１２８ａ，１２８ｃは蓋部の左右の後壁部１２４ｂからフラップとして延出し、これらは用紙展開時に蓋部の中央の頂壁部１２８ｂに隣接して縦方向に延在している。蓋部中央の頂壁部１２８ｂは、側方フラップとして蓋部の後壁１２７から延出している。蓋部外側の前壁部１２３ａは蓋部中央の頂壁部１２８ｂから側方フラップとして延出している。左右の前方側壁部１２４ａは、蓋部外側の前壁部１２３ａから縦方向フラップとして延出している。蓋部内側の前壁部１２３ｂはマグネット部品１２５を支持する部分であり、蓋部外側の前壁部１２３ａから側方フラップとして延出する。マグネット部品１２５は例えば蓋部内側の前壁部１２３ｂ上へ押し出すか、添着するか、又はその中へ埋め込むことができ、一例として（例えばグラビア印刷法により）印刷することができる。
【００３３】
蓋部１２０を成形する際、蓋部内側の前壁部１２３ｂは蓋部外側の前壁部１２３ａに糊付け又は添着される。左右の各頂壁部１２８ａ，１２８ｃは中央の頂壁部１２８ｂに糊付け又は添着される。左右の各前方側壁部１２４ａはそれぞれ左右の各後方側壁部１２４ｂに糊付け又は添着される。
【００３４】
図１Ｃは、折り曲げるとパケット１００の内部フレーム１４０が形成される厚紙用紙を示す。内部フレームの各側壁１４４は内部フレームの前壁１４３から縦方向フラップとして延出する。マグネット部品１１５は例えば内部フレームの前壁１４３上へ押し出すか、添着するか、又はその中へ埋め込むことができ、一例として（例えばグラビア印刷法により）印刷することができる。
【００３５】
パケット１００及び内部フレーム１４０形成用の各用紙へ各マグネット部品を付与するための押出し方及び印刷法は、用紙上、ひいては形成されるパケット１００上に於ける各マグネット部品１１５，１２５の配置、形状、寸法及び厚さに柔軟に対応できる。これらの方法にはまた、付与するマグネット部品の厚さにもよるが用紙の製造速度に与える影響を管理し易く、更にこれらマグネット部品の着色、重ね印刷、又はこれら両方が可能となるという利点もあり、商業デザインの機会を妨げない。
【００３６】
パケット１００を形成する際、内部フレームの前壁１４３はハウジングの前壁１１３の内側に糊付け又は添着される。内部フレームの各側壁１４４は、ハウジングの各側壁１１４の内側へ糊付け又は添着される。
【００３７】
各閉鎖用マグネット部品１１５，１２５は、内部フレーム及び蓋部のそれぞれの側壁１４４，１２４の一方又は両方に、代替的或いは追加的に付与することができ、一例としてパネル１４４及び１２４ｂに付与することができる。
【００３８】
図２には、他の例としてパケット２００を示す。このパッケージもヒンジ蓋付きパケットであるが、内部フレームを持たない。
【００３９】
上記パケット２００は、ハウジング２１０と蓋部２２０とを備える。ハウジング２１０は開口部２１１を備え、蓋部２２０が図示のように開位置にある時に、該開口部２１１を通じてパッケージの中身、例えばシガレットの取出しが可能となる。本例では切欠き部２１２が併せて設けられることにより、特にパケットが満杯又はそれに近い時でも中身がより取り出し易くなっている。蓋部２２０は、ヒンジ部２３０を軸として前方に回動することによって、ハウジング２１０の中身が取り出されないように閉じることができる。
【００４０】
ヒンジ部２３０は図１Ｂに示す様に厚紙用紙に適宜形成された折り線であり、したがってハウジング２１０と蓋部２２０とは一体成形されている。或いはハウジング２１０と蓋部２２０とが別体であって、適宜な構造を有するヒンジ継手２３０で連結されていてもよい。例えば、ハウジング２１０と蓋部２２０のうちの一方に筒状部を設け、この筒状部で該ハウジング２１０と蓋部２２０のうちの他方に設けられたピンを受容し、該筒状部と該ピンとを同軸的、且つヒンジ線２３０に沿って延在させてもよい。
【００４１】
上記蓋部は、各閉鎖用マグネット部品２１５，２２５により閉位置に保持され得る。本例では内部フレームが存在しないので、このパケットの前壁２１３は、図１に示した例のパケット１００における前壁１１３に比べ、パケットの蓋側の端部に向けて上方により長く延在している。このため、ハウジング２１０の前壁２１３の一部はパケットを閉めた時に蓋部２２０の前壁２２３と重なり、蓋部２２０の閉鎖用マグネット部品２２５とハウジングの前壁２１３上に設けられた閉鎖用マグネット部品２１５とが重なり合う。
【００４２】
図２Ｂは、折り曲げてパケット２００を形成するための厚紙用紙を示す。図示される各面は基本的に外表面である。
【００４３】
上記用紙は、パケット２００完成時に互いに対面する前壁２１３と後壁２１７とを備える。これら前壁と後壁とは、中央の底壁部２１６ｃにより連結されている。ハウジングの前壁２１３はマグネット部品２１５を担持する。このマグネット部品２１５は例えば、ハウジングの前壁２１３上へ押し出すか、添着するか、又はその中へ埋め込むことができる。
【００４４】
パケットを形成する際、前壁２１３から側方フラップとして延出する各前方側壁部２１４ａは、後壁２１７から側方フラップとして延出する各後方側壁部２１４ｂに糊付け又は添着される。パケットを形成する際、左右の後方側壁部２１４ｂから縦方向フラップとして延出する左右の各底壁部２１６ｂ，２１６ａは、中央の底壁部２１６ｃに糊付け又は添着される。
【００４５】
ヒンジ部２３０はハウジングの後壁２１７と蓋部の後壁２２７とを区分する折り線により形成される。蓋部の左右の後方側壁部２２４ｂは、蓋部の後壁２２７から縦方向フラップとして延出している。一方、蓋部の左右の各頂壁部２２８ａ，２２８ｃは蓋部の左右の後壁部２２４ｂからフラップとして延出し、これらは用紙展開時に蓋部の中央の頂壁部２２８ｂに隣接して縦方向に延在している。蓋部中央の頂壁部２２８ｂは、側方フラップとして蓋部の後壁２２７から延出している。蓋部外側の前壁部２２３ａは蓋部中央の頂壁部２２８ｂから側方フラップとして延出している。左右の各前方側壁部２２４ａは、蓋部外側の前壁部２２３ａから縦方向フラップとして延出している。蓋部内側の前壁部２２３ｂはマグネット部品２２５を担持し、蓋部外側の前壁部２２３ａから側方フラップとして延出する。マグネット部品２２５は、先の実施例で前述した様式のいずれかにより、例えば蓋部内側の前壁部２２３ｂ上へ押し出すか、添着するか、又はその中へ埋め込むことができる。
【００４６】
蓋部２２０を形成する際、蓋部内側の前壁部２２３ｂは蓋部外側の前壁部２２３ａに糊付け又は添着される。左右の各頂壁部２２８ａ，２２８ｃは中央の頂壁部２２８ｂに糊付け又は添着される。左右の各前方側壁部２２４ａはそれぞれ左右の後方側壁部２２４ｂに糊付け又は添着される。
【００４７】
各閉鎖用マグネット部品２１５，２２５は、ハウジング及び蓋部のそれぞれの側壁２１４，２２４の一方又は両方に、代替的或いは追加的に付与することができ、一例としてパネル２１４ａ及び２２４ａに付与することができる。
【００４８】
図３Ａは他の実施例としてパッケージ３００を示す。本例は、図２Ａに示したパッケージ２００と類似するが蓋部の構造が若干異なっており、パネルとフラップの数が少なく、また各マグネット部品３１５，３２５がコンテナ部３１０の前面パネル３１３と蓋部３２０の前面パネル３２３の各内表面上にそれぞれ形成されている。
【００４９】
パケット３００形成用の用紙を図３Ｂに示す。この用紙の構造は、蓋部の要素以外は図２Ｂに示した構造に類似している。但し本例の場合、図示される各面は内表面である。
【００５０】
上記用紙は、パケット３００完成時に互いに対面する前壁３１３と後壁３１７とを備える。これら前壁と後壁とは、中央の底壁部３１６ｃにより連結されている。ハウジングの前壁３１３はマグネット部品３１５を担持する。このマグネット部品３１５は、先の実施例で前述した様式のいずれかにより、例えばハウジング前壁３１３上へ押し出すか、添着するか、又はその中へ埋め込むことができる。
【００５１】
パケットを形成する際、前壁３１３から側方フラップとして延出する各前方側壁部３１４ａは、後壁３１７から側方フラップとして延出する各後方側壁部３１４ｂに糊付け又は添着される。パケットを形成する際、左右の後方側壁部３１４ｂから縦方向フラップとしてそれぞれ延出する左右の各底壁部３１６ａ，３１６ａｂは、中央の底壁部３１６ｃに糊付け又は添着される。
【００５２】
ヒンジ部３３０はハウジングの後壁３１７と蓋部の頂壁３２８とを区分する折り線により形成される。蓋部の左右の後方側壁部３２４ａは、蓋部の頂壁３２８から縦方向フラップとして延出している。一方、蓋部の左右の各前壁部３２３ａ，３２３ｃは蓋部の左右の側壁部３２４ａからフラップとして延出している。蓋部の頂壁部３２８は、ハウジングの後壁３１７から側方フラップとして延出している。蓋部の前壁部３２３は、蓋部の頂壁部３２８から側方フラップとして延出している。蓋部の前壁３２３はマグネット部品３２５を担持し、このマグネット部品は先の実施例で前述した様式のいずれかにより、例えば蓋部の前壁部３２３の内表面上へ押し出すか、添着するか、又はその中へ埋め込むことができる。
【００５３】
蓋部３２０を形成する際、蓋部の左右の各前壁部３２３ａ，３２３ｃのみを蓋部の前壁３２３の内表面に糊付け又は添着する。これにより、蓋部の前壁３２３、蓋部の各側壁３２４及び蓋部の頂壁３２８が互いに垂直となり、蓋部３２０がヒンジ部３３０を中心として回動し、パケットのハウジング３１０を閉鎖できる様になる。
【００５４】
各マグネット部品は各パネル３１３，３２３の内表面上か、又はこれらの外表面上に形成することができる。但し、内表面にこれらを付与する場合、パケット３００の完成時に於いてマグネット部品３１５が少なくともユーザーの視線から隠れる様にする。これにより、前面のマグネット部品３１５により前面パネル３１３に余分な厚さが発生せず、ひとたび蓋部３２０を閉じてしまえば前面パネル３１３全体に印刷を施すことができる、という新たな利点が生ずる。したがって、工業生産上必要であればパケットの上包みも簡単且つより良く行える。
【００５５】
様々なパケットの実施例に於ける閉鎖用マグネット部品のパラメータは、例えば下記の通りである。
・厚さ：０．４ｍｍ未満、例えば０．２４ｍｍ又は０．３０ｍｍ。
・表面磁界強度：１５０Ｇ超、例えば１８０Ｇ又は２００Ｇ又は２１０Ｇ。
・合計接触表面積：少なくとも２ｃｍ２、好ましくは４〜２０ｃｍ２、例えば２０．０９ｃｍ２又は１９．８８ｃｍ２。
・閉鎖用マグネット部品を互いに引き離すのに要する表面積当たりの直接牽引力（接触面に垂直に加えられる力）：少なくとも５ｇ／ｃｍ２、例えば  ６．６ｇ／ｃｍ２又は１０．０ｇ／ｃｍ２。
・閉鎖用マグネット部品を互いに引き離すのに要する表面積当たりの剪断力（接触面に平行に加えられる力）：少なくとも５ｇ／ｃｍ２、例えば６．３ｇ／ｃｍ２又は５．０ｇ／ｃｍ２。
これら例示的なパラメータにより、幾つかの利点が生ずる。
【００５６】
例えば、閉鎖用マグネット部品の厚さには自ずと制限がある。閉鎖用マグネット部品がシート材料の表面から盛り上がっていると、蓋部とハウジングとの間に形成される隙間が狭くなる。この様な隙間は見栄えが悪く、またパッケージを閉じていても中身の一部が外へこぼれ出てしまう可能性がある（例えば、巻紙から刻みたばこが脱落している場合）。 閉鎖用マグネット部品がシート材料に埋め込まれ、（例えば、シート材料の凹部にマグネット部品を添着する、添着プロセスにプレス加工を採用する、又は、閉鎖用マグネット部品の形状に倣った切欠き部を設けたシート材料のフラップを折り畳んで上に重ねる等により）その表面が面一となっている場合、閉鎖用マグネット部品の厚さを減ずることは、シート材料に必要とされる厚さが減ぜられることにつながる。
【００５７】
上記閉鎖用マグネット部品の表面磁界強度と接触面積とは、蓋部が開放された時にマグネット式ロックが閉じるスピードに影響する。上述の例示的なパラメータであれば、パッケージが確実に閉まった事実をユーザーにフィードバックできる。かかる閉鎖用マグネット部品の磁界強度であれば、ロックが閉じる際に「カチッ」と音が聞こえるに十分なスピードで該ロックを閉じることができるからである。
【００５８】
上記閉鎖用マグネット部品の表面磁界強度とそれらの接触面積とは、磁気ロック式パケットを開くのに要する力を決定する。上記の例示的なパラメーターであれば、たとえパッケージが空（又はほぼ空）の時に通常の使用で想定される圧力（例えば、パケットを強く握る、又はパケットがポケットに押し込まれている、又はハンドバッグ内で他の物にぶつかっている等）がハウジングの前面に加えられたとしても、ロックは閉じた状態を保つに十分な強度を有する。
【００５９】
上記閉鎖用マグネット部品は整列した一連のＳＮ磁極を含むものであってよい。この場合の効果とは、これら閉鎖用マグネット部品を重ね合わせて剪断力を加えた時、動きにつれてこれらが交互に引きつけ及び反発することである。これにより、ユーザーは蓋部を開ける際に適度な抵抗を感ずることになる。また、これにより、パッケージが不用意に開いてしまう可能性が更に減少する。それは、ロックをパケットの中身がこぼれ出てしまうほど大きく開くことなく、半開きに止めることができるからである。つまり、瞬間的な剪断力が偶発的に加わったとしても、各閉鎖用マグネット部品は互いに対して磁極の交替幅の１つ分または２つ分ずつスライドするだけで、持続的に力が加わらない限り、新たな半開き位置に落ち着く。
【００６０】
押出し法や印刷法によって付与することができ、本発明のパーケージの閉鎖用マグネット部品の形成に使用できる磁性材料は、例えば国際公開第２００２／０４０２７４号及び第２００４／０３６６０６号に記載されており、これらの内容は引用形式にて本明細書に組み込まれる。
【００６１】
上記パッケージの蓋部の高さは、蓋部の内表面に付与された閉鎖用マグネット部品が、開閉中にパッケージの中身に接触しない高さとされてよい。
【００６２】
これに替えて、或いはこれに加え、閉鎖用マグネット部品とパケットの中身との相互汚染を防止するため、蓋部に設けられた少なくとも閉鎖用マグネット部品を覆ってニス、ラッカー又はこれらの同等物を塗布してもよい。
【００６３】
これに替えて、或いはこれに加え、マグネット部品の１つ又は２つ以上を覆って可剥性の箔又はシート材料を添着してもよい。これにより、購入されるまでの間、磁性材料を保護することができる。この箔／シート材料が閉鎖用マグネット部品周辺の磁界強度を減少させるように構成されている場合は、これらはブロックの役目を果たすこととなり、（箔／シート材料を剥がすことにより）マグネット式閉鎖を動作させるかさせないかの選択は、ユーザーに委ねられる。例えば、ユーザーがチューインガムのパケットを短期間内に繰り返し開けたい場合、或いは片手で簡単に操作したい場合（自動車のカップ・ホルダーに入れてある場合等）は、マグネット式ロックを動作させたくない場合もある。一方、パケットをハンドバッグに無造作に入れたり、時々しか開けない時は、マグネット式ロックが動作していた方が良い場合もある。
【００６４】
図示したパケットはいずれも概ね立方体である。各辺は鋭角的であっても、丸められていても、或いは面取りされていてもよい。その他好適と考えられる形状は、例えばより湾曲した、典型的には円筒形の形状をシガレット用に採用することができ、その他の形状もパケットの中身に応じて適宜であってよい。菓子やチューインガムの様なより小さい製品は、様々な定形、不定形のパケット、例えば他の形状又はキャラクタの形状を有するノベルティ・パケットに適宜収容することができる。
【００６５】
閉鎖用マグネット部品は、パケット製造の様々な段階でパケットに導入することができ、例えば用紙の裁断前、用紙の裁断と折り曲げの間、又は用紙の折り曲げ後である。磁気バイアス手段が最初から磁化されていない状態で供給される場合は、これをパケット製造の様々な段階で磁化させることができる。適切な手順を決定するには、磁気バイアス手段と製造ラインの金属部材との相互作用を考慮する必要がある。
【００６６】
以上、本発明の適用例を説明したが、他の実施態様や変形例が可能であることは理解されよう。
【００６７】
また、当業者であればパッケージの特定の形状や特定の特徴の配置を変形又は変更することができる。他の変更例や変形例も当業者にとって自明であろう。これら変更例や変形例は、公知の同等その他の特徴を含んでよく、これらは本明細書中で述べた特徴に替えて、或いはそれに加えて用いることができる。別々の実施例の中で説明した特徴を、単独の実施例に盛り込んでもよい。逆に、単独の実施例の中で説明した特徴を別々に実現したり、適宜部分的に組み合わせてもよい。
【図１Ａ】
2018511532.tif 000003
【図１Ｂ】
2018511532.tif 000004
【図１Ｃ】
2018511532.tif 000005
【図２Ａ】
2018511532.tif 000006
【図２Ｂ】
2018511532.tif 000007
【図３Ａ】
2018511532.tif 000008
【図３Ｂ】
2018511532.tif 000009
【国際調査報告】
2018511532.tif 000010
2018511532.tif 000011
2018511532.tif 000012
2018511532.tif 000013